(57)【特許請求の範囲】
【請求項１】
Ｗｅｂブラウザを持つＷｅｂ端末とインターネットを介して各々接続される監視データ管理装置、専用端末、およびＷｅｂサーバを備え、
前記監視データ管理装置は、
表示した前記Ｗｅｂ端末の画面、前記Ｗｅｂブラウザ、および前記Ｗｅｂ端末の画面の表示条件を前記Ｗｅｂ端末と対応づけて記憶するＤＢを有するとともに、
前記専用端末の画面と前記Ｗｅｂ端末の画面との対応関係と、前記専用端末の画面に表示するための操作情報となる、表示した前記専用端末の画面の属性情報および表示する端末ごとに前記画面の属性情報の違いを解消するための表示条件と、を記憶するＤＢを有し、
前記専用端末は、
前記Ｗｅｂ端末とは独立して操作する際に使用する前記操作情報を保存するとともに、前記専用端末の画面の表示条件がある場合には、前記専用端末の画面と前記Ｗｅｂ端末の画面間の共通の表示形式に前記表示条件を保存する、操作情報保存部と、
前記Ｗｅｂ端末で表示している画面の属性情報を取得し、前記専用端末の画面表示用の条件に変換する操作情報取得部と、
を有し、
前記Ｗｅｂサーバは、
Ｗｅｂ端末ＩＤ、ＷｅｂブラウザＩＤ、表示条件を一時保存する表示条件テンポラリを有するとともに、
前記専用端末で表示している画面の属性情報を取得し、前記Ｗｅｂ端末の画面表示用の条件に変換する操作情報取得部、および
Ｗｅｂ画面に表示するための操作情報となる、表示した前記Ｗｅｂ端末の画面の属性情報と表示する端末ごとに前記画面の属性情報の違いを解消するための表示条件と、前記Ｗｅｂ端末の画面の表示条件がある場合には、前記Ｗｅｂ端末の画面と前記専用端末の画面間の共通の表示形式に前記Ｗｅｂ端末の画面の表示条件と、を保存する操作情報保存部、
を有することを特徴とする監視制御システム。
【請求項２】
前記監視データ管理装置は、
専用端末の画面、当該専用端末の画面のダイアログ、Ｗｅｂ端末の画面、及び当該Ｗｅｂ端末の画面のダイアログの４種類の情報の対応関係を記憶するＤＢ、
表示した専用端末の画面と当該専用端末の画面のダイアログ、および当該専用端末の表示状態を記憶するＤＢ、
を備えたことを特徴とする請求項１に記載の監視制御システム。
【請求項３】
前記専用端末は、
ログインしたユーザを認識するユーザ認識部を有し、
前記監視データ管理装置は、
前記専用端末でのログイン状態を認識する認証判定部と、前記専用端末でのユーザごとの画面表示状態を記憶するＤＢを有して、
ログインしたユーザに対応した前記専用端末での画面表示を、前記Ｗｅｂ端末で画面表示することが可能である、
ことを特徴とする請求項１に記載の監視制御システム。
【請求項４】
前記監視データ管理装置は、
前記専用端末の表示した画面と前記専用端末の表示条件と表示日時を記憶するＤＢを有し、
前記Ｗｅｂブラウザで、指定された表示日時の前記専用端末の画面を表示することができることを特徴とする請求項１に記載の監視制御システム。
【発明の詳細な説明】
【技術分野】
【０００１】
この発明は、プラント設備あるいは公共設備における設備並びに機器の状態監視や稼動制御を行う監視制御システムに関し、特に、監視制御システムに用いられる専用端末やＷｅｂ端末上でのグラフィック表示に関するものである。
【背景技術】
【０００２】
監視制御システムにおいて、専用端末で監視あるいは制御を行う場合と、インターネットを用いたＷｅｂ端末で監視あるいは制御を行う場合がある。例えば、中央制御室のような場所では、専用端末を用いて監視し、一方、現場等ではＷｅｂ端末を用いて別の監視員が監視を実施している。
従来、画面表示の仕組み（画面表示用ソフトウェア）は同じであるが、装置（ハードウェア）は異なるような監視制御装置間で、画面を転送して作業を引き継ぎ、システムの監視制御のための操作を可能とする方法が提案されている（例えば、特許文献１参照）。
【先行技術文献】
【特許文献】
【０００３】
【特許文献１】特開平１０−３２６１１１号公報
【発明の概要】
【発明が解決しようとする課題】
【０００４】
従来の監視制御システムでは、通常、専用端末とＷｅｂ端末とでは、グラフィック画面の表示の仕組みは違っており、画面データもそれぞれ存在する。また、専用端末とＷｅｂ端末での操作は独立しているため、専用端末で操作した後、Ｗｅｂ端末でその操作状態を継続することはできず、専用端末で表示している画面状態と同じ表示を、Ｗｅｂ端末で表示するには、同じような操作を再度繰り返す必要があった。
【０００５】
この発明は上記のような課題を解決するためになされたものであり、グラフィック画面の表示の仕組みの異なる専用端末とＷｅｂ端末間で、それぞれの操作あるいは画面状態を引き継ぐことを目的とする。
【課題を解決するための手段】
【０００６】
本発明に係る監視制御システムは、
Ｗｅｂブラウザを持つＷｅｂ端末とインターネットを介して各々接続される監視データ管理装置、専用端末、およびＷｅｂサーバを備え、
前記監視データ管理装置は、
表示した前記Ｗｅｂ端末の画面、前記Ｗｅｂブラウザ、および前記Ｗｅｂ端末の画面の表示条件を前記Ｗｅｂ端末と対応づけて記憶するＤＢを有するとともに、
前記専用端末の画面と前記Ｗｅｂ端末の画面との対応関係と、前記専用端末の画面に表示するための操作情報となる、表示した前記専用端末の画面の属性情報および表示する端末ごとに前記画面の属性情報の違いを解消するための表示条件と、を記憶するＤＢを有し、
前記専用端末は、
前記Ｗｅｂ端末とは独立して操作する際に使用する前記操作情報を保存するとともに、前記専用端末の画面の表示条件がある場合には、前記専用端末の画面と前記Ｗｅｂ端末の画面間の共通の表示形式に前記表示条件を保存する、操作情報保存部と、
前記Ｗｅｂ端末で表示している画面の属性情報を取得し、前記専用端末の画面表示用の条件に変換する操作情報取得部と、
を有し、
前記Ｗｅｂサーバは、
Ｗｅｂ端末ＩＤ、ＷｅｂブラウザＩＤ、表示条件を一時保存する表示条件テンポラリを有するとともに、
前記専用端末で表示している画面の属性情報を取得し、前記Ｗｅｂ端末の画面表示用の条件に変換する操作情報取得部、および
Ｗｅｂ画面に表示するための操作情報となる、表示した前記Ｗｅｂ端末の画面の属性情報と表示する端末ごとに前記画面の属性情報の違いを解消するための表示条件と、前記Ｗｅｂ端末の画面の表示条件がある場合には、前記Ｗｅｂ端末の画面と前記専用端末の画面間の共通の表示形式に前記Ｗｅｂ端末の画面の表示条件と、を保存する操作情報保存部、
を有することを特徴とするものである。
【発明の効果】
【０００７】
この発明によれば、互いに端末の操作が独立しており、画面表示の仕組みが異なる複数の端末間で、一の端末で画面表示のための操作を行って、表示している画面状態あるいは過去に表示していた画面状態と同じ内容の表示を、他の端末での画面表示のための操作を行わずに、他の端末に表示することができる。また、Ｗｅｂブラウザを複数立ち上げている場合も、どのブラウザの状態かを指定して、専用端末で表示することができる。
【図面の簡単な説明】
【０００８】
【図１】この発明の実施の形態１の一例を示すブロック図である。
【図２】この発明の実施の形態１の操作情報ＤＢの一例を表で現した図である。
【図３】この発明の実施の形態１の操作情報ＤＢの他の例を表で現した図である。
【図４】この発明の実施の形態１の一例を示すフローチャート図である。
【図５】この発明の実施の形態１の他の例を示すフローチャート図である。
【図６】この発明の実施の形態２の操作情報ＤＢの一例を表で現した図である。
【図７】この発明の実施の形態２の操作情報ＤＢの他の例を表で現した図である。
【図８】この発明の実施の形態２の一例を示すフローチャート図である。
【図９】この発明の実施の形態２の他の例を示すフローチャート図である。
【図１０】この発明の実施の形態３の一例を示すブロック図である。
【図１１】この発明の実施の形態３の操作情報ＤＢの一例を表で現した図である。
【図１２】この発明の実施の形態３の一例を示すフローチャート図である。
【図１３】この発明の実施の形態３の他の例を示すフローチャート図である。
【図１４】この発明の実施の形態４の一例を示すブロック図である。
【図１５】この発明の実施の形態４の操作情報ＤＢの一例を表で現した図である。
【図１６】この発明の実施の形態４の一例を示すフローチャート図である。
【図１７】この発明の実施の形態４の他の例を示すフローチャート図である。
【図１８】この発明の実施の形態５の操作情報ＤＢの一例を表で現した図である。
【図１９】この発明の実施の形態５の一例を示すフローチャート図である。
【図２０】この発明の実施の形態５の他の例を示すフローチャート図である。
【発明を実施するための形態】
【０００９】
実施の形態１．
以下、この発明の実施の形態１の監視制御システムを図に基づいて説明する。
図１において、専用端末１は、画面表示部１１と、画面生成部１２と、データ受信部１３と操作情報保存部１４と、画面データ１５、表示条件Ｔｅｍｐ１６により構成される。
監視データ管理装置２は、データ配信部２１と、操作情報取得部２２と、機器・装置情報データベース（以下ＤＢと略記）２３と操作情報ＤＢ２４より構成される。
Ｗｅｂサーバ３は、画面配信部３１と、画面生成部３２と、データ受信部３３と、画面データ３５と、操作情報取得部３７により構成される。
Ｗｅｂ端末４は、Ｗｅｂブラウザ４１を備える。
そして、これらの監視制御システムの構成要素である、専用端末１、監視データ管理装置２、Ｗｅｂサーバ３は、インターネットを介し、回線５等によって、Ｗｅｂ端末４と接続されている。ここで、上述の専用端末とＷｅｂ端末は互いに独立して操作されるものであることは言うまでもない。
以上において、操作情報とは、例えば、ボタンクリックによってなされたダイアログ表示、テキスト入力等、該当する画面で操作された情報を意味する。
【００１０】
ここで、操作情報ＤＢ２４は、図２と図３に示すテーブルを有する。
図２は、専用画面ＩＤとＷｅｂ画面ＩＤの項目を有するテーブルであり、専用端末の画面とＷｅｂ端末の画面における各画面ＩＤ間の対応関係を設定する。
図３は、専用端末ＩＤ、専用画面ＩＤ、表示条件の項目を有するテーブルであり、どの専用端末にて、どの専用画面が表示されているか、またそのときの表示条件を設定する。この場合において、表示条件の形式は、専用端末、Ｗｅｂ端末共通の形式を決めて登録する。この図に示すように、専用端末ＩＤが異なっていても、専用画面ＩＤが同じ場合がある（例えば、ＰＣ００１とＰＣ００２に対してＳｈｅｅｔ００１）。
ここで、表示条件とは、例えば、履歴のような日時を項目として持つ表を表示する場合、日時を指定して表示する場合があるなど、表示上、課される内容のことである。また、図２と図３は別々のＤＢとして示したが、１つのＤＢとしてもよい。
【００１１】
次に動作について説明する。
図４は、専用端末から画面を表示して、ダイアログ表示等の操作情報を保存するフローチャートである。
ユーザは、専用端末１の画面表示部１１から画面を表示しようとする（ステップＳ１０１）。画面を表示する際に、画面ＩＤを指定して表示する場合と、画面ＩＤだけでなく、その他の条件も指定して表示する場合がある。例えば、履歴のような日時を項目として持つ表を表示する場合、日時を指定して表示する場合がある。表示する際の条件がある場合（ステップＳ１０２）、操作情報保存部１４は、その表示条件を専用端末とＷｅｂ端末共通の形式に変換して、表示条件テンポラリ１６（表示条件Ｔｅｍｐ１６に同じ）に一時保存しておく（ステップＳ１０３）。画面生成部１２は、指定された画面ＩＤ、表示条件、データ受信部１３から受信したデータをもとに画面を生成し、表示する（ステップＳ１０４）。操作情報保存部１４は、操作した専用端末のＩＤと表示した専用画面ＩＤと表示条件テンポラリ１６に一時保存した表示条件を、監視データ管理装置２の操作情報ＤＢ２４の図３のテーブルに保存する（ステップＳ１０５）。
【００１２】
図５は、Ｗｅｂ端末４からＷｅｂブラウザ４１を開いて専用端末の画面と同じ内容の画面（以下では「同じ内容の画面」を簡略化して「同じ画面」と記載する）を開くときのフローチャートである。
ユーザは、Ｗｅｂ端末４からＷｅｂブラウザ４１を開いて画面を表示しようとする（ステップＳ２０１）。画面を表示する際に、専用端末の画面と同じ画面を開く場合（ステップＳ２０２）、どの専用端末の画面と同じ画面を表示したいかを、Ｗｅｂブラウザ４１で選択する（ステップＳ２０３）。Ｗｅｂサーバ３の操作情報取得部３７は、監視データ管理装置２に操作情報の取得要求を出し（ステップＳ２０４）、監視データ管理装置２の操作情報取得部２２は、操作情報ＤＢ２４から、専用端末の画面ＩＤと表示条件を取得して応答を返す（ステップＳ２０５）。Ｗｅｂサーバ３の画面生成部３２は、図２のテーブルをもとに、取得した操作情報の画面ＩＤに対応するＷｅｂ画面ＩＤを取得し（ステップＳ２０６）、専用端末とＷｅｂ端末共通の表示条件の形式をＷｅｂ端末用の表示条件に変換し（ステップＳ２０７）、画面生成部３２は、取得したＷｅｂ画面ＩＤと、表示条件、画面を表示する際にデータ受信部３３から受信した機器・装置情報データをもとに画面を生成し、画面配信部３１より画面を配信する（ステップＳ２０８）。
【００１３】
以上のように、実施の形態１によれば、専用端末で表示した画面とその表示条件を保持した状態をＷｅｂ端末に引き継ぐことができ、作業をシームレスに移行することができ、操作性を向上させることができる。例えば、専用端末が設置されている監視室から現場に状況確認をしに行く際に、専用端末の操作状況をタブレット端末に引き継ぐことができ、現場で簡単に作業を再開することができる。
【００１４】
また、画面を表示後に、さらに検索条件あるいは表示条件を指定して表示した場合も、表示条件を、上記の説明と同様にして図３のテーブルに登録すれば、Ｗｅｂ端末上で指定した検索条件あるいは表示条件で表示することができる。
【００１５】
実施の形態２．
実施の形態１の監視制御システムでは、専用端末で表示した画面をＷｅｂ端末で初期に表示する処理について述べたが、実施の形態２の監視制御システムでは、専用端末で表示しているダイアログ（ダイアログボックスに同じ。以下ではダイアログと略記する）あるいは別ウィンドウの状態もＷｅｂ端末で表示する処理について、以下図を用いて説明する。
【００１６】
実施の形態２の監視制御システムでは、実施の形態１で説明した操作情報ＤＢ２４の内容に、図６に示したテーブルの内容を追加する。図６は、専用端末の画面ＩＤとその各画面ＩＤに対応するダイアログＩＤ、Ｗｅｂ端末の画面ＩＤとその各画面ＩＤに対応するダイアログＩＤの関係を定義したテーブルである。
図７は、専用端末で表示している画面ＩＤとその各画面ＩＤに対応するダイアログＩＤ、および各ダイアログＩＤに対応する状態を設定するテーブルである。
【００１７】
専用端末１の画面表示部１１から、画面を表示し、表示条件を操作情報ＤＢに登録するまでは、実施の形態１と同じであるので、ここでは説明を省略する。また、図８での図示も同様の理由で省略する。図８は、専用端末１の画面表示部１１に画面を表示後、専用端末で表示した画面とダイアログの操作状態を保存するフローチャートである。ボタン押下などによりダイアログの表示操作を実行すると（ステップＳ３０１）、操作情報保存部１４は、ダイアログの表示状態を図７のテーブルに登録する（ステップＳ３０２）。このとき、表示しようとするダイアログだけでなく、全ダイアログの表示状態を登録する。つまり、表示しようとしているダイアログ以外は非表示で登録する。
表示状態登録後、画面表示部１１はダイアログを画面に表示する（ステップＳ３０３）。
【００１８】
図９は、Ｗｅｂ端末４からＷｅｂブラウザ４１を開いて専用端末の画面と同じ画面、およびダイアログを開くときのフローチャートである。実施の形態１と同様に、Ｗｅｂ端末で専用端末の画面と同じ画面を開いたあと（ステップＳ２０８）、Ｗｅｂサーバ３の操作情報取得部３７は、監視データ管理装置２にダイアログの表示情報の取得要求を出し（ステップＳ４０１）、監視データ管理装置２の操作情報取得部２２は、操作情報ＤＢ２４に保存されている図７のテーブルで表示状態となっているダイアログのＩＤを取得して応答を返す（ステップＳ４０２）。操作情報取得部３７が、表示している専用端末のダイアログＩＤを取得すると、Ｗｅｂサーバ３は、図６のテーブルの内容により、対応するＷｅｂ端末のダイアログＩＤを取得する（ステップＳ４０３）。そして、画面生成部３２は、取得したＷｅｂ端末のダイアログを表示する（ステップＳ４０４）。
【００１９】
以上のように、実施の形態２によれば、専用端末で表示中のダイアログ表示もＷｅｂ端末のブラウザ上で再現することができるので、作業の途中状態を保存することも可能となる。
【００２０】
実施の形態３．
実施の形態１、２の監視制御システムでは、専用端末で表示している画面の状態をＷｅｂ端末で表示する処理について述べたが、実施の形態３の監視制御システムでは、Ｗｅｂ端末で表示している画面状態を専用端末で表示する処理について、以下図を用いて説明する。
【００２１】
図１０は、実施の形態１、２において、図１で説明した監視制御システムの専用端末１に操作情報取得部１７を、Ｗｅｂサーバ３に操作情報保存部３４と表示条件テンポラリ３６を、それぞれ追加したものである。
図１１は、Ｗｅｂ端末ＩＤ、ＷｅｂブラウザＩＤ、Ｗｅｂ画面ＩＤ、表示条件の項目を有するテーブルであり、どのＷｅｂ端末のどのブラウザにて、どのＷｅｂ画面が表示されているか、またそのときの表示条件をＩＤごとに対応させて設定する。表示条件の形式は、図３のテーブルの表示条件と同じである。
【００２２】
図１２は、Ｗｅｂ端末から画面を表示して、この画面の属性情報である操作情報を保存するフローチャートである。実施の形態１と同様に、Ｗｅｂ端末４上のＷｅｂブラウザ４１から画面を表示しようとする場合に適用するものである（ステップＳ５０１）。
画面表示要求を受けたＷｅｂサーバ３は、表示要求元のＷｅｂ端末ＩＤとＷｅｂブラウザＩＤを表示条件テンポラリ３６に一時保存しておく（ステップＳ５０２）。画面を表示する際の表示条件がある場合（ステップＳ５０３）、操作情報保存部３４は、その表示条件を専用端末とＷｅｂ端末共通の形式に変換して、表示条件テンポラリ３６に一時保存しておく（ステップＳ５０４）。画面生成部３２は、指定された画面ＩＤ、表示条件、データ受信部３３から受信したデータをもとに画面を生成し、画面を画面配信部に送る（ステップＳ５０５）。操作情報保存部３４は、表示条件テンポラリ３６に一時保存したＷｅｂ端末ＩＤ、ＷｅｂブラウザＩＤ、表示条件を、監視データ管理装置２の操作情報ＤＢ２４のテーブルに図７の形式で保存する（ステップＳ５０６）。
【００２３】
図１３は、専用端末から画面を表示してＷｅｂ端末上のＷｅｂブラウザと同じ画面を開くときのフローチャートである。専用画面表示操作を実行し（ステップＳ６０１）、Ｗｅｂ画面と同じ画面を開く場合（ステップＳ６０２）、表示したいＷｅｂ端末とＷｅｂブラウザを選択する（ステップＳ６０３）。専用端末１の操作情報取得部１７は、監視データ管理装置２に操作情報の取得要求を出し（ステップＳ６０４）、監視データ管理装置２の操作情報取得部２２は、操作情報ＤＢ２４の図１１のテーブルから、指定されたＷｅｂ端末とＷｅｂブラウザの画面ＩＤと表示条件を取得して応答を返す（ステップＳ６０５）。専用端末１の画面生成部１２は、図２のテーブルをもとに、取得した操作情報のＷｅｂ画面ＩＤに対応する専用端末の専用画面ＩＤを取得し（ステップＳ６０６）、専用端末とＷｅｂ端末共通の表示条件の形式を専用端末用の表示条件に変換し（ステップＳ６０７）、画面生成部１２は、取得した専用画面ＩＤと、表示条件、データ受信部１３から受信した機器・装置情報ＤＢの機器・装置情報データをもとに画面を生成し、画面を表示する（ステップＳ６０８）。
【００２４】
以上のように、実施の形態３によれば、Ｗｅｂ端末で表示した画面とその表示条件を保持した状態を専用端末に引き継ぐことができる。また、Ｗｅｂブラウザを複数立ち上げている場合も、図１１により、どのブラウザの状態かを指定して、専用端末で表示することができる。
【００２５】
実施の形態４．
実施の形態１、２の監視制御システムでは、専用端末ごとの画面表示状態をＷｅｂ端末で表示する処理について述べたが、実施の形態４の監視制御システムでは、専用端末でのユーザごとの表示状態をＷｅｂ端末で表示する処理について、以下図を用いて説明する。
【００２６】
図１４は、実施の形態３において、図１０で説明した監視制御システムの専用端末１にユーザ認識部１８を、監視データ管理装置２に認証判定部２５とユーザ情報ＤＢ２６を、それぞれ追加したものである。
図１５は、ユーザＩＤ、専用端末ＩＤ、専用画面ＩＤ、表示条件の項目を有するテーブルであり、どのユーザＩＤ、専用端末にて、どの専用画面が表示されているか、またそのときの表示条件を設定する。表示条件の形式は、図３のテーブルと同様に、専用端末、Ｗｅｂ端末共通の形式を決めて登録する。
【００２７】
図１６は、専用端末にユーザがログインして、操作情報を保存するフローチャートである。専用端末１にて、ユーザＩＤでログインすると、ユーザ認識部１８は、監視データ管理装置２の認証判定部２５が、ユーザ情報ＤＢ２６からユーザ情報を取得して判定した認定結果を基に、ログインしたユーザを認識する（ステップＳ７０１）。ユーザＩＤでのログインに成功すると、専用画面の表示が可能となり、実施の形態１と同様に、表示操作を
実行し（ステップＳ１０１）、画面を表示する（ステップＳ１０４）。その後、専用画面ＩＤと表示条件を操作情報ＤＢの図１５に示したテーブルに登録する際、ログインしているユーザＩＤの情報も登録する（ステップＳ７０２）。
【００２８】
図１７は、ユーザがＷｅｂ端末上のブラウザにログインして、そのユーザがログインしている専用端末の画面と同じ画面を表示する処理のフローチャートである。まず、ユーザは、Ｗｅｂ端末４上のＷｅｂブラウザ４１を開いて、ユーザＩＤでログインする（ステップＳ８０１）。ログインが成功すると、Ｗｅｂ画面の表示が可能となり、実施の形態１と同様に、Ｗｅｂ画面の表示操作を実行する（ステップＳ２０１）。専用端末の画面と同じ画面を表示する場合（ステップＳ２０２）、操作情報取得部３７は、操作情報を取得し、Ｗｅｂ画面でログインしているユーザと一致している操作情報を抽出する（ステップＳ８０２）。抽出した操作情報を用いて、その専用端末情報を一覧し、ユーザは表示したい専用端末を選択する（ステップＳ２０３）。その後、実施の形態１と同様にＷｅｂ画面を生成して配信する。
【００２９】
以上のように、実施の形態４によればユーザごとに表示する状態を引き継ぐことができるので、同じ専用端末を指定して表示しようとしても表示することはできず、ユーザが違えば、Ｗｅｂ端末上で表示する画面もユーザごとに変えることができる。
【００３０】
実施の形態５．
実施の形態１から４の監視制御システムでは、専用端末あるいはＷｅｂ端末での現在の表示状態を引き継ぐ処理について述べたが、実施の形態５の監視制御システムでは、過去の表示状態を引き継ぐ場合を想定したシステムとなっている。すなわち、大きなイべント、例えば、大雨、台風など、過去に大きなイベントが発生した場合があって、その時の表示状態を引き継いで使用したいような場合に、本実施の形態の監視制御システムを使用することが効果的である。この監視制御システムの処理について、以下図を用いて説明する。
【００３１】
図１８は、専用端末ＩＤ、その専用端末で表示している専用画面ＩＤ、表示条件、表示日時の項目を有するテーブルであり、過去に表示していた状態を再現して設定することができる。
【００３２】
図１９は、専用端末の専用画面で表示した状態と表示日時を保存する処理のフローチャートである。図４に示す実施の形態１の場合と同様に、専用端末の画面表示操作を実行し（ステップＳ１０１）、画面を表示する（ステップＳ１０４）。その後、専用端末の専用画面上で表示状態の保存を実行すると（ステップＳ９０１）、専用端末の操作情報保存部１４は、専用画面ＩＤと表示条件と表示日時を操作情報ＤＢ２４に保存する（ステップＳ９０２）。
【００３３】
図２０は、Ｗｅｂ端末のＷｅｂブラウザ上で、指定した表示日時の専用端末の画面表示をする場合の処理のフローチャートである。図５に示す実施の形態１の場合と同様に、Ｗｅｂ画面表示の操作を実行し（ステップＳ２０１）、操作情報の取得要求を出す（ステップＳ２０４）。監視データ管理装置の操作情報取得部２２は、操作情報ＤＢ２４のテーブルより（図１８参照）、指定された専用端末の画面ＩＤと表示日時と表示条件を返す（ステップＳ１００１）。Ｗｅｂサーバ３の画面生成部３２は、操作情報の応答を受け取ると、その表示日時を表示する（ステップＳ１００２）。ユーザは、表示したい日時を選択し（ステップＳ１００３）、対応するＷｅｂ画面ＩＤと表示条件を取得する（ステップＳ２０６参照）。そして、実施の形態１の場合と同様に、表示日時に対応した専用端末の画面をＷｅｂブラウザで表示する（ステップＳ２０８）。
【００３４】
以上のように、実施の形態５によれば、専用端末上の再現したい表示状態をいつでも保存し、再現することができるので、Ｗｅｂ端末での操作の選択肢を広げることができる。
【００３５】
なお、本発明は、その発明の範囲内において、各実施の形態を自由に組み合わせたり、各実施の形態を適宜、変形、省略することが可能である。例えば、上記の説明においては、回線は有線であることを前提に説明したが、有線に限らず無線であっても同様の議論が成り立つ。
【符号の説明】
【００３６】
１  専用端末、２  監視データ管理装置、３  Ｗｅｂサーバ、４  Ｗｅｂ端末、５  回線、１１  画面表示部、１２  画面生成部、１３  データ受信部、１４、３４  操作情報保存部、１５、３５  画面データ、１６、３６  表示条件テンポラリ、１７、２２、３７  操作情報取得部、１８  ユーザ認識部、２１  データ配信部、２３  機器・装置情報ＤＢ、２４  操作情報ＤＢ、２５  認証判定部、３１  画面配信部、３２  画面生成部、３３  データ受信部、４１  Ｗｅｂブラウザ
【図１】
0006698410.tif 000002
【図２】
0006698410.tif 000003
【図３】
0006698410.tif 000004
【図４】
0006698410.tif 000005
【図５】
0006698410.tif 000006
【図６】
0006698410.tif 000007
【図７】
0006698410.tif 000008
【図８】
0006698410.tif 000009
【図９】
0006698410.tif 000010
【図１０】
0006698410.tif 000011
【図１１】
0006698410.tif 000012
【図１２】
0006698410.tif 000013
【図１３】
0006698410.tif 000014
【図１４】
0006698410.tif 000015
【図１５】
0006698410.tif 000016
【図１６】
0006698410.tif 000017
【図１７】
0006698410.tif 000018
【図１８】
0006698410.tif 000019
【図１９】
0006698410.tif 000020
【図２０】
0006698410.tif 000021